(57)【特許請求の範囲】
【請求項１】
膨張収縮自在な阻血用の空気袋と、この空気袋の外周側に配した円弧状に湾曲するとともに弾性を有している保持板と、これら空気袋及び保持板を包む外布とからなる圧迫体であって、上記外布の一端側の折り返しのためのリングを備えており、該リングは上記保持板の周方向の中央部外周側に固定された保持板補強を兼ねる取付ベースによって支持されているとともに、上記取付ベースは上記保持板の幅方向両端部に夫々配されており、上記外布は上記リングによって折り返される部分に折り返し位置の特定用の目盛りを備えていることを特徴とする圧迫体。
【請求項２】
上記外布はその空気袋の内周側に位置する部分の内周面に滑り止め部材を備えていることを特徴とする請求項１記載の圧迫体。
【発明の詳細な説明】
【技術分野】
【０００１】
本発明は、血圧測定などのために人体の腕や手首等に巻き付けられて阻血を行う圧迫体に関するものである。
【背景技術】
【０００２】
血圧測定に用いられる圧迫体は、人体に巻き付け装着した後、内蔵する帯状の空気袋を膨張させることで動脈を圧迫して阻血を行うが、上記巻き付け装着を容易とするとともに上記阻血動作を確実に行うことができるようにするために、図３に示すように空気袋２の外周側に湾曲しているとともに弾性を有している保持板３を配したものがある。図中４は空気袋２及び保持板３を内蔵する外布であり、巻き付け状態の保持のために面状ファスナー（図示せず）を備えている。
【０００３】
ここにおいて、上記保持板３は人体への装着の便を考えると、図３に示すように一様な厚みのものが好ましいのであるが、この場合、人体に装着して空気袋２を膨張させることで阻血を行う時、保持板３が内周側の空気袋２に押されて図中矢印で示すように部分的に膨らんでしまい、空気袋３の膨張が一様になされず、このために阻血も安定して行うことができない。
【０００４】
図４に示すように保持板３の中央部を端部よりも厚くすることで剛性を上げて、中央部が空気袋２の膨張に対して撓まないようにすることで阻血の安定化を図ることも考えられるが、このような断面形状の保持板３を備えた圧迫体１はどうしても重くなる上に、人体への装着性も悪化してしまう。
【特許文献１】実開平５−３９５０５号公報
【発明の開示】
【発明が解決しようとする課題】
【０００５】
本発明は上記の従来の問題点に鑑みて発明したものであって、人体への装着性が良好である上に阻血も安定して行うことができる圧迫体を提供することを課題とするものである。
【課題を解決するための手段】
【０００６】
上記課題を解決するために本発明は、膨張収縮自在な阻血用の空気袋と、この空気袋の外周側に配した円弧状に湾曲するとともに弾性を有している保持板と、これら空気袋及び保持板を包む外布とからなる圧迫体であって、上記外布の一端側の折り返しのためのリングを備えており、該リングは上記保持板の周方向の中央部外周側に固定された保持板補強を兼ねる取付ベースによって支持されているとともに、上記取付ベースは上記保持板の幅方向両端部に夫々配されており、上記外布は上記リングによって折り返される部分に折り返し位置の特定用の目盛りを備えていることに特徴を有している。
【０００７】
保持板そのものは、装着に好ましい弾性を有したものとすればよく、空気袋を膨張させて阻血する際の保持板の不要な撓みは、外布の折り返しのためのリングを支持する取付ベースによって防ぐことができる。
【０００８】
また、上記外布はリングによって折り返される部分に折り返し位置の特定用の目盛りを備えているために、人体への装着を確実に行うことができる外布の折り返し位置を容易に判別することができる。
【０００９】
また、外布はその空気袋の内周側に位置する部分の内周面に滑り止め部材を備えているものであってもよい。外布の折り返し部分を引っ張って締め付ける時、圧迫体全体が回転しにくくなるために、確実に締め付けることができる。
【発明の効果】
【００１０】
本発明によれば、人体への装着に好ましい弾性を有する保持板を用いることができる上に、この場合に問題となる空気袋を膨張させて阻血する際の保持板の撓み変形は、外布を折り返すためのリングを支持する取付ベースが保持板の周方向の中央部外周側に固定されたものとなっていることから、取付ベースによって阻止されるものであり、このために、安定した阻血を行うことができる。
【発明を実施するための最良の形態】
【００１１】
以下、本発明を添付図面に示す実施形態に基いて説明すると、図１及び図２において、図示例の圧迫体１は、血圧測定用で人体の上腕部に装着されるものであり、別途エアポンプなどから空気が供給されることで膨張するとともに別途排気弁を通じて排気がなされることで収縮する空気袋２と、この空気袋２の外周側に配されている保持板３と、空気袋２及び保持板３を一端側の内部に納めている帯状の外布４と、外布４の折り返しのためのリング５とからなるもので、断面円弧状に湾曲している上記保持板３は、その厚みが一様で弾性を有するものとなっている。
【００１２】
上記リング５は、外布４を貫通するビス等の固定具（図示せず）によって上記保持板３の外周側に固定された取付ベース６によって支持されたもので、金属製の棒材を屈曲させたもので形成されている。
【００１３】
そして、上記圧迫体１を上腕に装着するにあたっては、その弾性によって圧迫体１をほぼ筒状の状態に保つ保持板３をその弾性に抗して押し広げて、上腕に被せたり、腕を差し込んだりすることで、上腕外周に圧迫体１を位置させ、次いでリング５の位置が手首側を上にした上腕の上面側に来るように位置決めした後、リング５に通した外布４の他端側を引っ張って弛みを無くした状態で、外布４に設けた面状ファスナー４０を利用して固定する。
【００１４】
この後、空気袋２に空気を送り込んで膨張させることによって、上腕部を通る動脈Ｄを圧迫して阻血し、その後、空気袋２内の空気を徐々に抜くことで血圧測定を行うわけであるが、一様な厚みで形成されている保持板３の長手方向中央部が空気袋２を膨張させた時に内周側から押されることで撓もうとする。しかし、外布４が保持板３の長手方向中央部に位置するリング５において折り返されている上に、リング５を支持する取付ベース６が保持板３の長手方向中央部に位置して保持板３の長手方向中央部を補強しているために、保持板３の長手方向中央部が外側へ撓んでしまって空気袋２による阻血を阻害することはなく、このために安定した阻血を行うことができる。
【００１５】
なお、図示例においては取付ベース６を圧迫体１の幅方向両端部に夫々配したものとなっているが、図に鎖線で示すように幅方向全長に亘る大きさのものとしておけば、保持板３の不要な撓みをより確実に防ぐことができる。
【００１６】
また、ここで示した外布４は、その幅方向中央で且つ折り返した時に外面に露出することになる面に、長手方向において目盛り４２を施したものとなっている。この目盛り４２は、圧迫体１を上腕部に取り付けて締め付ける際の折り返し位置の目安を示すことになるために、毎回同じ位置で固定することで毎回同じ締め付けを行うことができるものとなっている。
【００１７】
更に、外布４における空気袋２の内周側に位置する面の内周面（図示例では外布４の長手方向一端側の内周面）に人体の肌との間の摩擦係数が高くて滑り止めの機能を果たす滑り止め部材（例えばメッシュ状の布）４３を配している。この滑り止め部材４３の存在により、折り返した外布４を引っ張って締め付ける時、圧迫体１が腕の回りを回転してしまうことがなく、このために確実な締め付けを行うことができる。
【図面の簡単な説明】
【００１８】
【図１】本発明の実施の形態の一例の概略断面図である。
【図２】同上の斜視図である。
【図３】従来例の概略断面図である。
【図４】他の従来例の概略断面図である。
【符号の説明】
【００１９】
１  圧迫体
２  空気袋
３  保持板
４  外布
５  リング
６  取付ベース
【図１】
0005080920.tif 000002
【図２】
0005080920.tif 000003
【図３】
0005080920.tif 000004
【図４】
0005080920.tif 000005